(57)【要約】【課題】再設計や機器認証を極力少なくすることができ、フィールド機器の設置位置に拘わらず安定した無線通信を実現することも可能な無線機器等を提供する。【解決手段】無線機器１は、フィールド機器３０に接続されてフィールド機器３０と通信を行うセンサインターフェイス１１と、局所的な通信を行ってセンサインターフェイス１１に入出力される信号を授受するローカル通信部１３とを備えるインターフェイスモジュール１０と、ローカル通信部１３との間で局所的な通信を行ってセンサインターフェイス１１に入出力される信号を授受するローカル通信部２３と、ローカル通信部２３から出力される信号を無線信号にして送信し、無線信号で送信されてくる信号を受信する無線通信部２１を備える無線モジュール２０とを備える。【選択図】図１
2014229994.tif 000002
【特許請求の範囲】
【請求項１】
フィールド機器からの第１信号を無線信号にして送信し、無線信号で送信されてくる前記フィールド機器への第２信号を受信する無線通信部を備える無線機器において、
前記フィールド機器に接続されて前記フィールド機器と通信を行うインターフェイス部と、局所的な通信を行って前記インターフェイス部から出力される前記第１信号及び前記インターフェイス部に入力される前記第２信号を授受する第１局所通信部とを備えるインターフェイスモジュールと、
前記第１局所通信部との間で局所的な通信を行って前記第１信号及び前記第２信号を授受する第２局所通信部と、該第２局所通信部で授受される前記第１信号の送信及び前記第２信号の受信を行う前記無線通信部とを備える無線モジュールと
を備えることを特徴とする無線機器。
【請求項２】
前記インターフェイスモジュール及び前記無線モジュールの少なくとも一方は、前記フィールド機器、前記インターフェイスモジュール、及び前記無線モジュールの少なくとも１つに電力を供給する電源、或いは該電源又は外部電源から電力の供給を受ける電力供給端子を備えることを特徴とする請求項１記載の無線機器。
【請求項３】
前記電源又は前記外部電源からの電力は、前記インターフェイスモジュールと前記無線モジュールとを接続する第１接続部を介して供給されることを特徴とする請求項２記載の無線機器。
【請求項４】
前記第１，第２局所通信部は、前記インターフェイスモジュールと前記無線モジュールとを接続する第２接続部を介して前記局所的な通信を行うものであり、
前記電源又は前記外部電源からの電力は、前記第２接続部を介して供給される
ことを特徴とする請求項２記載の無線機器。
【請求項５】
前記無線モジュールは、前記インターフェイスモジュールのスリープ状態を解除するコントローラを備えており、
前記インターフェイスモジュールは、前記スリープ状態が解除された場合に、前記フィールド機器に対する電力の供給を行って、前記インターフェイス部により前記フィールド機器と通信を行う
ことを特徴とする請求項１から請求項４の何れか一項に記載の無線機器。
【請求項６】
前記インターフェイスモジュールは、前記無線モジュールのスリープ状態を解除するコントローラを備えており、
前記無線モジュールは、前記スリープ状態が解除された場合に、前記インターフェイスモジュールから通知される情報を前記無線信号にして送信する
ことを特徴とする請求項１から請求項４の何れか一項に記載の無線機器。
【請求項７】
前記インターフェイスモジュールは、外部機器が無線信号を送信するタイミングを示すスケジュール情報を用いて、前記外部機器が前記無線信号を送信するのに先立って前記無線モジュールのスリープ状態を解除するコントローラを備えることを特徴とする請求項１から請求項４の何れか一項に記載の無線機器。
【請求項８】
前記インターフェイスモジュールは、少なくとも前記インターフェイス部及び前記第１局所通信部を収容する第１筐体を備えており、
前記無線モジュールは、少なくとも前記第２局所通信部及び前記無線通信部を収容する第２筐体を備えている
ことを特徴とする請求項１から請求項７の何れか一項に記載の無線機器。
【請求項９】
前記インターフェイスモジュール及び前記無線モジュールの何れか一方は、
前記フィールド機器、前記インターフェイスモジュール、及び前記無線モジュールの状態を表示する表示部と、
前記フィールド機器、前記インターフェイスモジュール、及び前記無線モジュールに対する設定を行う設定部と
の少なくとも一方を備えることを特徴とする請求項１から請求項８の何れか一項に記載の無線機器。
【請求項１０】
フィールド機器に対するインターフェイスを司るインターフェイスモジュールであって、
前記フィールド機器に接続されて前記フィールド機器と通信を行うインターフェイス部と、
前記フィールド機器からの第１信号を無線信号にして送信し、無線信号で送信されてくる前記フィールド機器への第２信号を受信する無線モジュールとの間で局所的な通信を行って前記インターフェイス部から出力される前記第１信号及び前記インターフェイス部に入力される前記第２信号を授受する局所通信部と
を備えることを特徴とするインターフェイスモジュール。
【請求項１１】
前記フィールド機器、前記インターフェイスモジュール、及び前記無線モジュールの少なくとも１つに電力を供給する電源、或いは該電源又は外部電源から電力の供給を受ける電力供給端子を備えることを特徴とする請求項１０記載のインターフェイスモジュール。
【発明の詳細な説明】
【技術分野】
【０００１】
本発明は、無線機器及びインターフェイスモジュールに関する。
【背景技術】
【０００２】
従来から、プラントや工場等においては、高度な自動操業を実現すべく、フィールド機器と呼ばれる現場機器（測定器、操作器）と、これらの制御を行う制御装置とが通信手段を介して接続された分散制御システム（ＤＣＳ：Distributed Control System）が構築されている。このような分散制御システムを構成するフィールド機器は、有線通信を行うものが殆どであったが、近年においてはＩＳＡ１００．１１ａやＷｉｒｅｌｅｓｓＨＡＲＴ（登録商標）等の産業用無線通信規格に準拠した無線通信を行うもの（無線フィールド機器）も実現されている。
【０００３】
上記の無線フィールド機器は、概して工業プロセスにおける状態量（例えば、圧力、温度、流量等）の測定又は操作を行う入出力部と、上記の産業用無線通信規格に準拠した無線通信を行う無線通信部と、無線フィールド機器の動作を統括して制御する制御部とが筐体内に組み込まれており、単一の電源から供給される電力によって各部が動作する。ここで、無線フィールド機器は、従来のフィールド機器のように通信線又は通信バスに接続する必要がなく、基本的に単独でプラント等に設置されることから、上記の単一の電源として電池を内蔵するものが殆どである。
【０００４】
以下の特許文献１には、無線通信部を有しない従来のフィールド機器に取り付けられて、従来のフィールド機器を上記の無線フィールド機器として動作させることが可能な無線機器が開示されている。具体的に、以下の特許文献１に開示された無線機器は、従来のフィールド機器に接続されるインターフェイス部と、無線通信を行う無線通信部と、インターフェイス部を介して従来のフィールド機器に電力を供給する電源部とを備える。この無線機器は、フィールド機器からの信号がインターフェイス部を介して入力されてきた場合には、その信号を無線通信部から送信先（例えば、上位のコントローラ）に向けて送信し、フィールド機器宛ての信号を無線通信部で受信した場合には、インターフェイス部を介して受信した信号をフィールド機器に出力する。
【先行技術文献】
【特許文献】
【０００５】
【特許文献１】米国特許出願公開第２００８／０２１１６６４号明細書
【発明の概要】
【発明が解決しようとする課題】
【０００６】
ところで、上述した特許文献１に開示された無線機器は、フィールド機器に接続されてフィールド機器との間で通信を行うインターフェイス部と、外部の機器との間で無線通信を行う無線通信部とが一体化された構成である。このため、上述した特許文献１に開示された無線機器は、以下の（１）〜（３）に示す問題があった。
【０００７】
（１）フィールド機器で用いられる通信プロトコル毎に設計が必要
無線機器に設けられるインターフェイス部は、上述の通り、フィールド機器との間で通信を行うものであるため、無線機器のインターフェイス部で用いられる通信プロトコルがフィールド機器で用いられる通信プロトコル（例えば、ＨＡＲＴ（登録商標）やＢＲＡＩＮ等の２線式通信で用いられる通信プロトコル）に適合している必要がある。無線機器のインターフェイス部で用いられる通信プロトコルがフィールド機器で用いられる通信プロトコルに適合していない場合には、フィールド機器で用いられる通信プロトコルに合わせて、無線機器の全体を再設計する必要があるという問題がある。
【０００８】
（２）無線機器の種類毎に機器認証が必要
無線で通信を行う無線機器は、一般的に各国の法令に適合していることの認証（無線規格認証）を受ける必要がある。この無線規格認証は、基本的に無線機器の機種毎に受ける必要があるため、例えば無線通信部は同じであってもインターフェイス部の種類や形状が異なる無線機器は、それぞれ無線規格認証を受ける必要がある。この無線規格認証は、国や地域により個別に受ける必要があるため、無線機器のメーカーやベンダが世界規模で事業を展開しようとすると、膨大な時間、費用、人員が必要になるという問題がある。
【０００９】
（３）無線機器の設置の自由度が低く安定した通信が困難な場合が生ずる
無線機器は、フィールド機器の近くに設置されることが殆どである。これは、無線機器とフィールド機器とを接続する接続線を保護するための配管（コンジット）の設置工事を省略してコストの発生を抑える等の理由からである。しかしながら、フィールド機器は、パイプや生産設備等が多数設置されて電波の反射や遮蔽が生じやすい環境下に設置されることが多いため、インターフェイス部と無線通信部とが一体化された無線機器では、安定した無線通信が困難になる場合が生ずるという問題がある。
【００１０】
ここで、例えばアンテナケーブルを用いてアンテナを無線通信部から分離可能である場合には、アンテナの設置位置の自由度が高くなるため、安定した無線通信が可能になるとも考えられる。しかしながら、アンテナケーブルの損失やノイズの影響によって、延長可能なケーブル長さに限界があるため、安定した無線通信が必ずしも実現されるという訳ではないという問題がある。
【００１１】
本発明は上記事情に鑑みてなされたものであり、再設計や機器認証を極力少なくすることができ、フィールド機器の設置位置に拘わらず安定した無線通信を実現することも可能な無線機器及びインターフェイスモジュールを提供することを目的とする。
【課題を解決するための手段】
【００１２】
上記課題を解決するために、本発明の無線機器は、フィールド機器（３０）からの第１信号を無線信号にして送信し、無線信号で送信されてくる前記フィールド機器への第２信号を受信する無線通信部（２１）を備える無線機器（１）において、前記フィールド機器に接続されて前記フィールド機器と通信を行うインターフェイス部（１１）と、局所的な通信を行って前記インターフェイス部から出力される前記第１信号及び前記インターフェイス部に入力される前記第２信号を授受する第１局所通信部（１３）とを備えるインターフェイスモジュール（１０）と、前記第１局所通信部との間で局所的な通信を行って前記第１信号及び前記第２信号を授受する第２局所通信部（２３）と、該第２局所通信部で授受される前記第１信号の送信及び前記第２信号の受信を行う前記無線通信部とを備える無線モジュール（２０）とを備えることを特徴としている。
この発明によると、フィールド機器とインターフェイスモジュールとの間の通信によって得られたフィールド機器からの第１信号は、第１，第２局所通信部を介して無線モジュールに出力されて、無線モジュールの無線通信部から無線信号にして送信される一方、無線信号として送信されてきたフィールド機器への第２信号は、無線モジュールの無線通信部で受信された後に、第２，第１局所通信部を介してインターフェイスモジュールに出力され、インターフェイスモジュールとフィールド機器との間の通信によってフィールド機器に出力される。
また、本発明の無線機器は、前記インターフェイスモジュール及び前記無線モジュールの少なくとも一方は、前記フィールド機器、前記インターフェイスモジュール、及び前記無線モジュールの少なくとも１つに電力を供給する電源（１４）、或いは該電源又は外部電源から電力の供給を受ける電力供給端子を備えることを特徴としている。
また、本発明の無線機器は、前記電源又は前記外部電源からの電力が、前記インターフェイスモジュールと前記無線モジュールとを接続する第１接続部（ＰＬ）を介して供給されることを特徴としている。
或いは、本発明の無線機器は、前記第１，第２局所通信部が、前記インターフェイスモジュールと前記無線モジュールとを接続する第２接続部（ＣＢ）を介して前記局所的な通信を行うものであり、前記電源又は前記外部電源からの電力が、前記第２接続部を介して供給されることを特徴としている。
また、本発明の無線機器は、前記無線モジュールが、前記インターフェイスモジュールのスリープ状態を解除するコントローラ（２２）を備えており、前記インターフェイスモジュールが、前記スリープ状態が解除された場合に、前記フィールド機器に対する電力の供給を行って、前記インターフェイス部により前記フィールド機器と通信を行うことを特徴としている。
また、本発明の無線機器は、前記インターフェイスモジュールが、前記無線モジュールのスリープ状態を解除するコントローラ（１２）を備えており、前記無線モジュールが、前記スリープ状態が解除された場合に、前記インターフェイスモジュールから通知される情報を前記無線信号にして送信することを特徴としている。
また、本発明の無線機器は、前記インターフェイスモジュールが、外部機器（４０）が無線信号を送信するタイミングを示すスケジュール情報を用いて、前記外部機器が前記無線信号を送信するのに先立って前記無線モジュールのスリープ状態を解除するコントローラ（１２）を備えることを特徴としている。
また、本発明の無線機器は、前記インターフェイスモジュールが、少なくとも前記インターフェイス部及び前記第１局所通信部を収容する第１筐体（Ｃ１）を備えており、前記無線モジュールが、少なくとも前記第２局所通信部及び前記無線通信部を収容する第２筐体（Ｃ２）を備えていることを特徴としている。
また、本発明の無線機器は、前記インターフェイスモジュール及び前記無線モジュールの何れか一方が、前記フィールド機器、前記インターフェイスモジュール、及び前記無線モジュールの状態を表示する表示部（１６）と、前記フィールド機器、前記インターフェイスモジュール、及び前記無線モジュールに対する設定を行う設定部（１７）との少なくとも一方を備えることを特徴としている。
本発明のインターフェイスモジュールは、フィールド機器（３０）に対するインターフェイスを司るインターフェイスモジュール（１０）であって、前記フィールド機器に接続されて前記フィールド機器と通信を行うインターフェイス部（１１）と、前記フィールド機器からの第１信号を無線信号にして送信し、無線信号で送信されてくる前記フィールド機器への第２信号を受信する無線モジュール（２０）との間で局所的な通信を行って前記インターフェイス部から出力される前記第１信号及び前記インターフェイス部に入力される前記第２信号を授受する局所通信部（１３）とを備えることを特徴としている。
また、本発明のインターフェイスモジュールは、前記フィールド機器、前記インターフェイスモジュール、及び前記無線モジュールの少なくとも１つに電力を供給する電源（１４）、或いは該電源又は外部電源から電力の供給を受ける電力供給端子を備えることを特徴としている。
【発明の効果】
【００１３】
本発明によれば、無線機器を、フィールド機器との間で通信を行うインターフェイスモジュールと、無線通信を行う無線モジュールとに分けて構成し、インターフェイスモジュールに設けられた第１局所通信部と無線モジュールに設けられた第２局所通信部との間で局所的な通信を行うことによって、インターフェイスモジュールと無線モジュールとの間で各種情報の授受を行うようにしている。これにより、無線機器の再設計や機器認証を極力少なくすることができるという効果がある。また、フィールド機器の設置位置に拘わらず安定した無線通信を実現することも可能であるという効果がある。
【図面の簡単な説明】
【００１４】
【図１】本発明の一実施形態による無線機器の要部構成を示すブロック図である。
【図２】本発明の一実施形態による無線機器のコマンド応答動作を説明するためのタイミングチャートである。
【図３】本発明の一実施形態による無線機器のセンシング動作を説明するためのタイミングチャートである。
【図４】本発明の一実施形態による無線機器のイベント通知動作を説明するためのタイミングチャートである。
【図５】本発明の一実施形態による無線機器の変形コマンド応答動作を説明するためのタイミングチャートである。
【図６】本発明の一実施形態による無線機器の変形例を示すブロック図である。
【図７】本発明の一実施形態による無線機器が備える無線モジュールの利用方法を説明するためのブロック図である。
【発明を実施するための形態】
【００１５】
以下、図面を参照して本発明の一実施形態による無線機器及びインターフェイスモジュールについて詳細に説明する。図１は、本発明の一実施形態による無線機器の要部構成を示すブロック図である。図１に示す通り、本実施形態の無線機器１は、インターフェイスモジュール１０と無線モジュール２０とを備えており、フィールド機器３０からの信号を無線信号にして送信し、無線信号で送信されてくるフィールド機器３０への信号を受信する。
【００１６】
ここで、フィールド機器３０は、例えば流量計や温度センサ等のセンサ機器、流量制御弁や開閉弁等のバルブ機器、ファンやモータ等のアクチュエータ機器、プラント内の状況や対象物を撮影するカメラやビデオ等の撮像機器、プラント内の異音等を収集したり警報音等を発するマイクやスピーカ等の音響機器、各機器の位置情報を出力する位置検出機器、その他のプラントの現場に設置される機器である。尚、本実施形態では、理解を容易にするために、フィールド機器３０は、流体の流量を測定するセンサ機器であるものとする。このため、フィールド機器３０は流体の流量を測定する回路であるセンサ回路３１を備えている。
【００１７】
このフィールド機器３０は、プラントの現場に敷設されるネットワークや伝送線（例えば、「４〜２０ｍＡ」信号の伝送に使用される伝送線）に接続されて、ネットワーク等からの電源供給を受けてネットワーク等を介した通信が可能である。具体的に、フィールド機器３０は、ＨＡＲＴ（登録商標）、ＢＲＡＩＮ、ファウンデーションフィールドバス（Foundation Fieldbus：登録商標）、プロフィバス（PROFIBUS：登録商標）、ＤｅｖｉｃｅＮｅｔ（登録商標）、ＣＣ−Ｌｉｎｋ（登録商標）、ＥｔｈｅｒＮｅｔ／ＩＰ（登録商標）等のプロセス工業用の汎用通信プロトコルを用いた通信が可能である。
【００１８】
インターフェイスモジュール１０は、センサインターフェイス（センサＩ／Ｆ）１１（インターフェイス部）、コントローラ１２、ローカル通信部１３（局所通信部、第１局所通信部）、電源１４、及び電源制御ユニット１５を備えており、フィールド機器３０と無線モジュール２０との間に介挿されて、フィールド機器３０に対するインターフェイスを司る。このインターフェイスモジュール１０は、上記のセンサインターフェイス１１〜電源制御ユニット１５が防爆規格を満たす箱形形状の筐体Ｃ１（第１筐体）に収容されたものである。
【００１９】
センサインターフェイス１１は、接続線Ｌを介してフィールド機器３０に接続されており、接続線Ｌを介して電源制御ユニット１５からの電力をフィールド機器３０に供給するとともに、接続線Ｌを介してフィールド機器３０と通信（アナログ通信又はディジタル通信）を行う。このセンサインターフェイス１１には、フィールド機器３０に実装されている通信プロトコルと同じ通信プロトコルが実装されている。尚、上記の接続線Ｌとしては、例えば「４〜２０ｍＡ」信号の伝送に使用される伝送線を用いることができる。
【００２０】
具体的に、センサインターフェイス１１は、接続線Ｌを介した通信により得られるフィールド機器３０からの信号（例えば、センサ回路３１で測定された流量を示す信号：第１信号）をコントローラ１２に出力する。また、コントローラ１２から出力されるフィールド機器３０への信号（例えば、センサ回路３１の測定レンジを設定する信号：第２信号）を、接続線Ｌを介した通信によりフィールド機器３０に送信する。
【００２１】
コントローラ１２は、インターフェイスモジュール１０の動作を統括して制御する。具体的に、コントローラ１２は、センサインターフェイス１１を制御して、フィールド機器３０からの信号を得るとともに、ローカル通信部１３から出力される信号（フィールド機器３０への信号）をフィールド機器３０に送信させる。また、コントローラ１２は、ローカル通信部１３を制御して、センサインターフェイス１１を制御して得たフィールド機器３０からの信号を無線モジュール２０に送信させる。
【００２２】
また、コントローラ１２は、電源１４の消耗を少なくするために、インターフェイスモジュール１０の各部を制御して省電力動作を行わせる。例えば、無線モジュール２０からの起床割り込み信号が入力された場合に、センサインターフェイス１１をアクティブ状態（動作状態）にし、予め規定された処理が終了した場合には、センサインターフェイス１１をスリープ状態（非動作状態）にする制御を行う。
【００２３】
ここで、無線モジュール２０からの起床割り込み信号が入力された場合に、コントローラ１２及びローカル通信部１３もアクティブ状態になり、予め規定された処理が終了した場合には、コントローラ１２がセンサインターフェイス１１をスリープ状態にする制御を行った後に、コントローラ１２及びローカル通信部１３を省電力状態（スタンバイ状態等）にするようにしても良い。尚、コントローラ１２は、スリープ状態にある無線モジュール２０に対して、起床割り込み信号を出力することも可能である。
【００２４】
ローカル通信部１３は、コントローラ１２の制御の下で、無線モジュール２０に設けられたローカル通信部２３と局所的な通信を行う。例えば、ローカル通信部１３は、赤外線を用いて通信を行う赤外線通信回路、近距離無線通信（Near Field Communication）を行う無線通信回路等を備えており、ローカル通信部２３との間の局所的な通信を非接触で行う。或いは、ローカル通信部１３は、シリアルケーブル、イーサネット（登録商標）ケーブル、光ケーブル、ＵＳＢ（Universal Serial Bus）ケーブル、計装ケーブル等のケーブルＣＢ（第２接続部）によってローカル通信部２３と接続されており、ローカル通信部２３との間の局所的な通信を、ケーブルＣＢを介した有線通信により行う。尚、本実施形態では、理解を容易にするために、ローカル通信部１３は、ケーブルＣＢを介して局所的な通信を行うものであるとする。
【００２５】
電源１４は、電池（例えば、塩化チオニルリチウム電池等の自己放電が極めて少ない一次電池や二次電池）、燃料電池、キャパシタ、或いは環境発電（所謂、太陽電池等のエナジーハーベスト）を行う発電回路等を備えており、フィールド機器３０、インターフェイスモジュール１０、及び無線モジュール２０を動作させるための電力を供給する。尚、本実施形態では、電源１４がインターフェイスモジュール１０の筐体Ｃ１に収容されている場合を例に挙げて説明するが、電源１４は筐体Ｃ１の外部に配置されていても良い。電源１４が筐体Ｃ１の外部に配置される場合には、電源１４は、インターフェイスモジュール１０の筐体Ｃ１に設けられた電力供給端子（図示省略）に接続される。
【００２６】
電源制御ユニット１５は、電源１４からの電力を用いて、インターフェイスモジュール１０の各部、及びフィールド機器３０に電力を供給する。この電源制御ユニット１５は、電源１４の消耗を少なくするために、コントローラ１２の制御の下で、インターフェイスモジュール１０の各部に電力を供給するか否か、及びフィールド機器３０に電力を供給するか否かをそれぞれ制御する。
【００２７】
無線モジュール２０は、アンテナＡＴ、無線通信部２１、コントローラ２２、ローカル通信部２３（第２局所通信部）、及び電源制御ユニット２５を備えており、インターフェイスモジュール１０からの信号を無線信号にして送信し、無線信号で送信されてくる信号（フィールド機器３０への信号）を受信してインターフェイスモジュール１０に出力する。この無線モジュール２０は、上記の構成（無線通信部２１、コントローラ２２、ローカル通信部２３、及び電源制御ユニット２５）が防爆規格を満たす箱形形状の筐体Ｃ２（第２筐体）に収容されたものである。
【００２８】
ここで、インターフェイスモジュール１０と無線モジュール２０とは、前述したケーブルＣＢによって接続されるとともに、電源供給線ＰＬ（第１接続部）によっても接続される。この電源供給線ＰＬは、インターフェイスモジュール１０に設けられた電源１４の電力を、無線モジュール２０に設けられた電源制御ユニット２５に供給するためのものである。
【００２９】
アンテナＡＴは、筐体Ｃ２の外部に設けられており、無線通信部２１に接続されて無線信号の送受信を行う。尚、筐体Ｃ２が無線信号を遮蔽するものでない場合には、アンテナＡＴは、筐体Ｃ２に内蔵されていても良い。無線通信部２１は、コントローラ２２の制御の下で、ＩＳＡ１００．１１ａに準拠した無線通信を行う。具体的に、無線通信部２１は、コントローラ２２から出力される信号（インターフェイスモジュール１０からの信号）を無線信号にして送信し、無線信号で送信されてくる信号（フィールド機器３０への信号）を受信してコントローラ２２に出力する。
【００３０】
コントローラ２２は、無線モジュール２０の動作を統括して制御する。具体的に、コントローラ２２は、無線通信部２１から出力される信号（フィールド機器３０への信号）を得るとともに、無線通信部２１を制御してローカル通信部２３から出力される信号（インターフェイスモジュール１０からの信号）を無線信号にして送信させる。また、コントローラ２２は、ローカル通信部２３を制御して、無線通信部２１から出力される信号をインターフェイスモジュール１０に送信させる。
【００３１】
また、コントローラ２２は、インターフェイスモジュール１０に設けられた電源１４の消耗を少なくするために、無線モジュール２０の各部を制御して省電力動作を行わせる。例えば、インターフェイスモジュール１０からの起床割り込み信号が入力された場合に、無線通信部２１をアクティブ状態（動作状態）にし、予め規定された処理が終了した場合には、無線通信部２１をスリープ状態（非動作状態）にする制御を行う。
【００３２】
ここで、インターフェイスモジュール１０からの起床割り込み信号が入力された場合に、コントローラ２２及びローカル通信部２３もアクティブ状態になり、予め規定された処理が終了した場合には、コントローラ２２が無線通信部２１をスリープ状態にする制御を行った後に、コントローラ２２及びローカル通信部２３を省電力状態（スタンバイ状態等）にするようにしても良い。尚、コントローラ２２は、スリープ状態にあるインターフェイスモジュール１０に対して、起床割り込み信号を出力することも可能である。
【００３３】
ローカル通信部２３は、コントローラ２２の制御の下で、インターフェイスモジュール１０に設けられたローカル通信部１３と局所的な通信を行う。具体的に、ローカル通信部２３は、ケーブルＣＢを介して局所的な通信を行う。尚、インターフェイスモジュール１０に設けられたローカル通信部１３が、赤外線通信や近距離無線通信等の非接触の通信により局所的な通信を行うものである場合には、ローカル通信部２３も、赤外線通信や近距離無線通信等の非接触の通信により局所的な通信を行うものが用いられる。
【００３４】
電源制御ユニット２５は、インターフェイスモジュール１０の電源１４から電源供給線ＰＬを介して供給される電力を用いて、無線モジュール２０の各部に電力を供給する。この電源制御ユニット２５は、電源１４の消耗を少なくするために、コントローラ２２の制御の下で、無線モジュール２０の各部に電力を供給するか否かを制御する。
【００３５】
次に、上記構成における無線機器１の動作について説明する。尚、以下では、フィールド機器３０の制御を行う制御装置４０（図２〜図５参照）から送信されてきたコマンドに応答する動作（コマンド応答動作）、無線機器１がフィールド機器３０に対して定期的に測定を行わせて測定結果を制御装置４０に送信する動作（センシング動作）、フィールド機器３０で生じたイベントを制御装置４０に通知する動作（イベント通知動作）、及び上記コマンド応答動作の変形例（変形コマンド応答動作）を順に説明する。
【００３６】
〈コマンド応答動作〉
図２は、本発明の一実施形態による無線機器のコマンド応答動作を説明するためのタイミングチャートである。尚、初期状態においては、無線機器１を構成するインターフェイスモジュール１０がスリープ状態になっているものとする。具体的には、例えばインターフェイスモジュール１０のセンサインターフェイス１１がスリープ状態であり、コントローラ１２及びローカル通信部１３が省電力状態であるものとする。また、初期状態においては、インターフェイスモジュール１０からフィールド機器３０への電力供給は行われていないものとする。
【００３７】
図２に示す通り、フィールド機器３０宛のコマンドが制御装置４０から送信されると、このコマンドは無線機器１をなす無線モジュール２０の無線通信部２１で受信される（ステップＳ１１）。尚、制御装置４０から送信されたフィールド機器３０宛のコマンドは、例えばフィールド機器３０に対するデータ送信要求を示すコマンドである。無線モジュール２０の無線通信部２１で受信されたコマンドは、コントローラ２２に出力される。すると、コントローラ２２からは、インターフェイスモジュール１０のスリープ状態を解除するための起床割り込み信号が出力される。
【００３８】
この起床割り込み信号は、ローカル通信部２３及びケーブルＣＢを介してインターフェイスモジュール１０に送信され（ステップＳ１２）、ローカル通信部１３を介してコントローラ１２に入力される。すると、ローカル通信部１３及びコントローラ１２の省電力状態が解除されるとともに、コントローラ１２の制御によりセンサインターフェイス１１のスリープ状態が解除される。これにより、インターフェイスモジュール１０は起床状態になる（ステップＳ１３）。
【００３９】
インターフェイスモジュール１０が起床状態になると、コントローラ１２から起床通知が出力される。この起床通知は、ローカル通信部１３及びケーブルＣＢを介して無線モジュール２０に送信され（ステップＳ１４）、ローカル通信部２３を介してコントローラ２２に入力される。すると、コントローラ２２からは、ステップＳ１１で受信したコマンドが出力される。
【００４０】
コントローラ２２から出力されたコマンドは、ローカル通信部２３及びケーブルＣＢを介してインターフェイスモジュール１０に送信され（ステップＳ１５）、ローカル通信部１３を介してコントローラ１２に入力される。すると、コントローラ１２によって電源制御ユニット１５が制御され、センサインターフェイス１１及び接続線Ｌを介してフィールド機器３０に電力が供給される（ステップＳ１６）。これにより、フィールド機器３０は動作状態になる。
【００４１】
フィールド機器３０に対する電力供給が行われると、インターフェイスモジュール１０のコントローラ１２からは、ステップＳ１５で送信されてきたコマンドが出力される。このコマンドは、センサインターフェイス１１及び接続線Ｌを介してフィールド機器３０に送信される（ステップＳ１７）。すると、フィールド機器３０では、送信されてきたコマンドに応じた処理が行われる（ステップＳ１８）。例えば、コマンドによって送信要求がなされたデータを、フィールド機器３０に設けられた不図示のメモリから読み出す処理が行われる。
【００４２】
ステップＳ１８の処理が終了すると、フィールド機器３０からは、ステップＳ１８の処理によって得られたデータがコマンド応答として出力される。このコマンド応答は、接続線Ｌを介してインターフェイスモジュール１０に送信され（ステップＳ１９）、センサインターフェイス１１を介してコントローラ１２に入力される。すると、コントローラ１２によって電源制御ユニット１５が制御され、フィールド機器３０に対する電力供給が停止される（ステップＳ２０）。これにより、フィールド機器３０は停止状態になる。
【００４３】
フィールド機器３０に対する電力供給が停止されると、コントローラ１２からはステップＳ１９で入力されたコマンド応答が出力される。このコマンド応答は、ローカル通信部１３及びケーブルＣＢを介して無線モジュール２０に送信され（ステップＳ２１）、ローカル通信部２３を介してコントローラ２２に入力される。すると、コントローラ２２によって無線通信部２１が制御され、コントローラ２２に入力されたコマンド応答が制御装置４０に送信される（ステップＳ２２）。
【００４４】
尚、インターフェイスモジュール１０から無線モジュール２０へのコマンド応答の送信が行われると、インターフェイスモジュール１０のコントローラ１２によって、センサインターフェイス１１をスリープ状態にするとともにローカル通信部１３を省電力状態にする制御が行われる。この制御が終了すると、コントローラ１２によって自身を省電力状態にする制御が行われる。これにより、インターフェイスモジュール１０はスリープ状態になる（ステップＳ２３）。
【００４５】
〈センシング動作〉
図３は、本発明の一実施形態による無線機器のセンシング動作を説明するためのタイミングチャートである。尚、初期状態においては、上記の「コマンド応答動作」と同様に、無線機器１を構成するインターフェイスモジュール１０がスリープ状態になっているものとし、インターフェイスモジュール１０からフィールド機器３０への電力供給は行われていないものとする。
【００４６】
「センシング動作」においては、インターフェイスモジュール１０のスリープ状態を解除するための起床割り込み信号が、無線モジュール２０のコントローラ２２から定期的に出力される。コントローラ２２から出力された起床割り込み信号は、ローカル通信部２３及びケーブルＣＢを介してインターフェイスモジュール１０に送信され（ステップＳ３１）、ローカル通信部１３を介してコントローラ１２に入力される。すると、インターフェイスモジュール１０は起床状態になる（ステップＳ３２）。
【００４７】
インターフェイスモジュール１０が起床状態になると、コントローラ１２によって電源制御ユニット１５が制御され、センサインターフェイス１１及び接続線Ｌを介してフィールド機器３０に電力が供給される（ステップＳ３３）。これにより、フィールド機器３０は動作状態になり、フィールド機器３０のセンサ回路３１においてセンシング（流体の流量の測定）が行われる（ステップＳ３４）。センシングが終了すると、その測定結果がセンシング結果としてセンサ回路３１から出力される。
【００４８】
センサ回路３１から出力されたセンシング結果は、接続線Ｌを介してインターフェイスモジュール１０に送信され（ステップＳ３５）、センサインターフェイス１１を介してコントローラ１２に入力される。すると、コントローラ１２によって電源制御ユニット１５が制御され、フィールド機器３０に対する電力供給が停止される（ステップＳ３６）。これにより、フィールド機器３０は停止状態になる。
【００４９】
フィールド機器３０に対する電力供給が停止されると、コントローラ１２からはステップＳ３５で入力されたセンシング結果が出力される。このセンシング結果は、ローカル通信部１３及びケーブルＣＢを介して無線モジュール２０に送信され（ステップＳ３７）、ローカル通信部２３を介してコントローラ２２に入力される。すると、コントローラ２２によって無線通信部２１が制御され、コントローラ２２に入力されたセンシング結果が制御装置４０に送信される（ステップＳ３８）。尚、インターフェイスモジュール１０から無線モジュール２０へのセンシング結果の送信が行われると、インターフェイスモジュール１０のコントローラ１２の制御によって、インターフェイスモジュール１０はスリープ状態にされる（ステップＳ３９）。
【００５０】
以上の処理が終了して一定時間が経過すると、インターフェイスモジュール１０のスリープ状態を解除するための起床割り込み信号が、無線モジュール２０のコントローラ２２から再び出力されて、インターフェイスモジュール１０に送信される（ステップＳ３１）。このようにして、図３に示すステップＳ３１〜Ｓ３９の処理が定期的に繰り返され、フィールド機器３０の測定結果（センシング結果）が定期的に制御装置４０に送信される。
【００５１】
〈イベント通知動作〉
図４は、本発明の一実施形態による無線機器のイベント通知動作を説明するためのタイミングチャートである。尚、初期状態においては、無線機器１を構成する無線モジュール２０がスリープ状態になっているものとする。具体的には、例えば無線モジュール２０の無線通信部２１がスリープ状態であり、コントローラ２２及びローカル通信部２３が省電力状態であるものとする。
【００５２】
図４に示す通り、フィールド機器３０で何らかのイベント（事象）が検知されると（ステップＳ４１）、検知されたイベントを示す情報がイベント通知としてフィールド機器３０から出力される。フィールド機器３０から出力されたイベント通知は、接続線Ｌを介してインターフェイスモジュール１０に送信され（ステップＳ４２）、センサインターフェイス１１を介してコントローラ１２に入力される。すると、コントローラ１２からは、無線モジュール２０のスリープ状態を解除するための起床割り込み信号が出力される。
【００５３】
この起床割り込み信号は、ローカル通信部１３及びケーブルＣＢを介して無線モジュール２０に送信され（ステップＳ４３）、ローカル通信部２３を介してコントローラ２２に入力される。すると、ローカル通信部２３及びコントローラ２２の省電力状態が解除されるとともに、コントローラ２２の制御により無線通信部２１のスリープ状態が解除される。これにより、無線モジュール２０は起床状態になる（ステップＳ４４）。
【００５４】
無線モジュール２０が起床状態になると、コントローラ２２から起床通知が出力される。この起床通知は、ローカル通信部２３及びケーブルＣＢを介してインターフェイスモジュール１０に送信され（ステップＳ４５）、ローカル通信部１３を介してコントローラ１２に入力される。すると、コントローラ１２からは、ステップＳ４２で入力されたイベント通知が出力される。
【００５５】
コントローラ１２から出力されたイベント通知は、ローカル通信部１３及びケーブルＣＢを介して無線モジュール２０に送信され（ステップＳ４６）、ローカル通信部２３を介してコントローラ２２に入力される。すると、コントローラ２２によって無線通信部２１が制御され、コントローラ２２に入力されたイベント通知が制御装置４０に送信される（ステップＳ４７）。
【００５６】
尚、無線モジュール２０から制御装置４０へのイベント通知の送信が行われると、無線モジュール２０のコントローラ２２によって、無線通信部２１をスリープ状態にするとともにローカル通信部２３を省電力状態にする制御が行われる。この制御が終了すると、コントローラ２２によって自身を省電力状態にする制御が行われる。これにより、無線モジュール２０はスリープ状態になる（ステップＳ４８）。
【００５７】
〈変形コマンド応答動作〉
図５は、本発明の一実施形態による無線機器の変形コマンド応答動作を説明するためのタイミングチャートである。図２を用いて説明した「コマンド応答動作」は、制御装置４０からコマンドが送信されてきてから、無線モジュール２０がインターフェースモジュール１０を起床させてコマンドをフィールド機器３０に送信するものであった。これに対し、「変形コマンド応答動作」は、インターフェイスモジュール１０にスケジュール情報（制御装置４０（外部機器）がコマンドを送信するタイミングを示す情報）が格納されており、制御装置４０からのコマンド送信に先立ってインターフェイスモジュール１０が予め無線モジュール２０を起床させておいて、制御装置４０からのコマンドをフィールド機器３０に送信するものである。
【００５８】
尚、初期状態においては、図４を用いて説明した「イベント通知動作」と同様に、無線機器１を構成する無線モジュール２０がスリープ状態になっているものとする。具体的には、例えば無線モジュール２０の無線通信部２１がスリープ状態であり、コントローラ２２及びローカル通信部２３が省電力状態であるものとする。
【００５９】
「変形コマンド応答動作」においては、上述したスケジュール情報に応じたタイミングで、インターフェイスモジュール１０のコントローラ１２から、無線モジュール２０のスリープ状態を解除するための起床割り込み信号が出力される。具体的には、制御装置４０からコマンドが送信されるタイミングから、少なくとも無線モジュール２０がスリープ状態から起床状態に移行するのに要する時間だけ前のタイミングで起床割り込み信号が出力される。
【００６０】
この起床割り込み信号は、ローカル通信部１３及びケーブルＣＢを介して無線モジュール２０に送信され（ステップＳ５１）、ローカル通信部２３を介してコントローラ２２に入力される。すると、ローカル通信部２３及びコントローラ２２の省電力状態が解除されるとともに、コントローラ２２の制御により無線通信部２１のスリープ状態が解除される。これにより、無線モジュール２０は起床状態になる（ステップＳ５２）。その後、無線モジュール２０からインターフェイスモジュール１０に起床通知が送信される（ステップＳ５３）。
【００６１】
制御装置４０からは、上述したスケジュール情報に規定されたタイミングでフィールド機器３０宛のコマンドが送信される。このコマンドは無線機器１をなす無線モジュール２０で受信される（ステップＳ５４）。制御装置４０からのコマンドを受信した時点で無線モジュール２０は既に起床状態である。このため、受信されたコマンドは、無線モジュール２０からケーブルＣＢを介してインターフェイスモジュール１０に送信される（ステップＳ５５）。
【００６２】
無線モジュール２０からのコマンドがインターフェイスモジュール１０で受信されると、前述した「コマンド応答動作」と同様に、接続線Ｌを介したフィールド機器３０への電力供給（ステップＳ５６）、及び接続線Ｌを介したフィールド機器３０へのコマンド送信（ステップＳ５７）が順に行われる。その後、フィールド機器３０では、ステップＳ５７で送信されてきたコマンドに応じた処理が行われる（ステップＳ５８）。
【００６３】
ステップＳ５８の処理が終了すると、フィールド機器３０からは、ステップＳ５８の処理によって得られたデータがコマンド応答として出力されて、接続線Ｌを介してインターフェイスモジュール１０に送信される（ステップＳ５９）。そして、前述した「コマンド応答動作」と同様に、フィールド機器３０に対する電力供給が停止され、フィールド機器３０は停止状態になる（ステップＳ６０）。
【００６４】
フィールド機器３０に対する電力供給が停止されると、ステップＳ５９の処理で得られたコマンド応答が、インターフェイスモジュール１０からケーブルＣＢを介して無線モジュール２０に送信される（ステップＳ６１）。続いて、無線モジュール２０に送信されたコマンド応答は、制御装置４０に送信される（ステップＳ６２）。
【００６５】
無線モジュール２０から制御装置４０へのコマンド応答の送信が行われると、インターフェイスモジュール１０から無線モジュール２０に対して無線モジュール２０をスリープ状態にするためのスリープ要求が送信される（ステップＳ６３）。このスリープ要求を受信すると、無線モジュール２０では、コントローラ２２によって、無線通信部２１をスリープ状態にするとともにローカル通信部２３を省電力状態にする制御が行われ、続いてコントローラ２２によって自身を省電力状態にする制御が行われる。これにより、無線モジュール２０はスリープ状態になる（ステップＳ６４）。
【００６６】
以上の通り、「変形コマンド応答動作」では、制御装置４０からのコマンド送信に先立ってインターフェイスモジュール１０が予め無線モジュール２０を起床させているため、省電力を実現しつつ制御装置４０から送信されたコマンドを直ちに無線モジュール２０で受信することができる。この「変形コマンド応答動作」は、例えば制御装置４０から定期的にコマンドが送信される場合には、インターフェイスモジュール１０にコマンドの送信周期を記憶しておけば実現可能である。
【００６７】
以上説明した「コマンド応答動作」、「センシング動作」、「イベント通知動作」、「変形コマンド応答動作」においては、図２〜図５中に破線で示した処理を省略することも可能である。例えば、フィールド機器３０がバルブ機器等であって制御装置４０の制御によって操作されるものである場合には、センシングが行われないため、図３中のセンシング結果を送信する処理（ステップＳ３５，Ｓ３７，Ｓ３８）は省略される。
【００６８】
以上の通り、本実施形態では、無線機器１を、フィールド機器３０との間で通信を行うインターフェイスモジュール１０と、無線通信を行う無線モジュール２０とに分けて構成している。そして、インターフェイスモジュール１０に設けられたローカル通信部１３と無線モジュール２０に設けられたローカル通信部２３との間で局所的な通信を行うことによって、インターフェイスモジュール１０と無線モジュール２０との間で各種情報の授受を行うようにしている。
【００６９】
これにより、無線機器１を設計する場合には、インターフェイスモジュール１０のみを設計し、或いは無線モジュール２０のみを設計すれば良く、フィールド機器３０毎に無線機器１の全体を再設計する必要が無いため、開発コストの低減や開発期間を短縮することができる。また、無線機器１の無線規格認証を受ける場合には、無線モジュール２０の無線規格認証のみを受ければ良いため、無線規格認証を極力少なくすることができる。
【００７０】
また、インターフェイスモジュール１０を交換すれば通信プロトコルが異なる種々のフィールド機器３０に対応することができ、逆に、無線モジュール２０を交換すれば種々の無線通信規格に適合した無線通信が可能になる。このため、例えばＩＳＡ１００．１１ａ、ＷｉｒｅｌｅｓｓＨＡＲＴ（登録商標）、Ｗｉ−Ｆｉ（登録商標）に対応する無線モジュール２０をそれぞれ用意し、フィールド機器３０に適合したインターフェイスモジュール１０を１つ用意すれば、上記の３つの無線通信規格の各々に適合した無線通信が可能なフィールド機器３０を実現することが可能となる。
【００７１】
また、インターフェイスモジュール１０をフィールド機器３０の近傍に配置し、無線モジュール２０を電波状態の良い場所に配置すれば、フィールド機器３０の設置位置に拘わらず安定した無線通信を実現することも可能になる。或いは、安定した無線通信を実現するために無線モジュール２０を高所（例えば、屋上や煙突等）に設置する一方で、インターフェイスモジュール１０を作業者のアクセスが容易な場所に設置すれば、バッテリ交換等のメンテナンスが容易になる。
【００７２】
図６は、本発明の一実施形態による無線機器の変形例を示すブロック図である。図６に示す無線機器１は、インターフェイスモジュール１０と無線モジュール２０とから構成されている点においては図１に示す無線機器１と同様であるが、インターフェイスモジュール１０に表示部１６及び設定部１７が設けられている点において図１に示す無線機器１と相違する。
【００７３】
表示部１６は、フィールド機器３０、インターフェイスモジュール１０、及び無線モジュール２０の状態を表示するものであり、例えば液晶表示装置（ＬＣＤ）や発光ダイオード（ＬＥＤ）で実現される。尚、フィールド機器３０の状態を示す情報は、フィールド機器３０とインターフェイスモジュール１０との間で行われる通信によって得られ、無線モジュール２０の状態を示す情報は、無線モジュール２０とインターフェイスモジュール１０との間で行われる通信によって得られる。
【００７４】
設定部１７は、フィールド機器３０、インターフェイスモジュール１０、及び無線モジュール２０に対する各種設定を行うものである。この設定部１７は、例えば作業者によって操作されてフィールド機器３０等に設定すべき情報が入力されるスイッチや、赤外線通信や近距離無線通信等の非接触通信を行ってフィールド機器３０等に設定すべき情報を得る通信装置を備える。尚、設定部１７の設定情報は、フィールド機器３０とインターフェイスモジュール１０との間で行われる通信によってフィールド機器３０に送信され、或いは、無線モジュール２０とインターフェイスモジュール１０との間で行われる通信によって無線モジュール２０に送信される。
【００７５】
尚、上記の表示部１６及び設定部１７は、インターフェイスモジュール１０に代えて無線モジュール２０に設けられていても良い。また、インターフェイスモジュール１０に設けられる場合であっても、無線モジュール２０に設けられる場合であっても、表示部１６及び設定部１７の双方が設けられている必要は必ずしも無く、表示部１６及び設定部１７の何れか一方のみが設けられていても良い。
【００７６】
図７は、本発明の一実施形態による無線機器が備える無線モジュールの利用方法を説明するためのブロック図である。以上説明した実施形態では、説明を簡単にするために、無線モジュール２０は、フィールド機器３０から出力されてインターフェイスモジュール１０を介した信号を無線信号にして送信し、無線信号として送信されてくるフィールド機器３０への信号を受信するものとして説明した。
【００７７】
しかしながら、無線モジュール２０は、単体で無線中継器（受信した無線信号をインターフェイスモジュール１０に出力することなく無線信号にして送信する機器）として動作することも可能である。無線モジュール２０を単体で動作させるためには、電源が必要になる。このため、図７（ａ）に示す通り無線モジュール２０に電源１４を内蔵し、図７（ｂ）に示す通り電源１４を無線モジュール２０の外部に設けて電源制御ユニット２５に接続し、或いは図７（ｃ）に示す通り電源１４を無線モジュール２０の外部に設けてローカル通信部２３に接続すれば、無線モジュール２０を単体で無線中継器として動作させることができる。
【００７８】
以上、本発明の一実施形態による無線機器及びインターフェイスモジュールについて説明したが、本発明は上述した実施形態に制限されることなく、本発明の範囲内で自由に変更が可能である。例えば、上記実施形態では、インターフェイスモジュール２０からフィールド機器３０への電力供給が接続線Ｌを介して行われる場合を例に挙げて説明したが、フィールド機器３０への電力供給が接続線Ｌとは異なる経路を介して行われるようにしても良い。
【００７９】
また、上記実施形態では、ケーブルＣＢを介してインターフェイスモジュール１０と無線モジュール２０との間の局所的な通信を行い、電源供給線ＰＬを介してインターフェイスモジュール１０から通信モジュール２０への電力供給を行う例について説明したが、ケーブルＣＢを介して上記の局所的な通信と上記の電力供給との双方を行っても良い。ケーブルＣＢを介して電力供給を行う場合には、電源供給線ＰＬを省略することができる。尚、ローカル通信部１３，２３間での局所的な通信が非接触で行われる場合には、上述した実施形態と同様に、電源供給線ＰＬを介してインターフェイスモジュール１０から通信モジュール２０への電力供給が行われる。
【００８０】
また、上記実施形態では、電源１４がインターフェイスモジュール１０に設けられている例について説明したが、電源１４は、無線モジュール２０に設けられていても、インターフェイスモジュール１０と無線モジュール２０との双方に設けられていても良い。電源１４を無線モジュール２０に設ける場合には、電源１４を筐体Ｃ２の内部に収納しても、筐体Ｃ２の外部に配置しても良い。電源１４が筐体Ｃ２の外部に配置される場合には、電源１４は、無線モジュール２０の筐体Ｃ２に設けられた電力供給端子（図示省略）に接続される。
【００８１】
また、インターフェイスモジュール１０に設けられる構成（センサＩ／Ｆ１１〜電源制御ユニット１５）、及び無線モジュール２０に設けられる構成（無線通信部２１〜電源制御ユニット２５）は、図１に示す通りに区分されている必要は必ずしもなく、複数の構成が一体化されていても良い。例えば、無線モジュール２０の無線通信部２１とコントローラ２２とが一体化されているといった具合である。
【００８２】
また、インターフェイスモジュール１０及び無線モジュール２０には、本質安全防爆規格を満たす絶縁回路を設けるのが望ましい。例えば、インターフェイスモジュール１０については、ケーブルＣＢとローカル通信部１３との間、及び電源１４と電源供給線ＰＬとの接続点に絶縁回路を設けるといった具合である。
【００８３】
また、上記実施形態では、インターフェイスモジュール１０と無線モジュール２０とが、ケーブルＣＢ及び電源供給線ＰＬで接続される場合を例に挙げて説明したが、例えばコネクタ等の接点（第１接続部，第２接続部）を介して電気的に接続されるようにしても良い。例えば、インターフェイスモジュール１０の筐体Ｃ１及び無線モジュール２０の筐体Ｃ２の予め規定された位置にコネクタをそれぞれ形成しておき、筐体Ｃ１，Ｃ２が嵌合又は螺合されたときに筐体Ｃ１に形成されたコネクタと筐体Ｃ２に形成されたコネクタとが電気的に接続されるようにする。尚、インターフェイスモジュール１０のローカル通信部１３及び電源１４と、無線モジュール２０のローカル通信部２３及び電源制御ユニット２５とは、コネクタを介してそれぞれ接続されることになる。
【００８４】
また、上記実施形態では、無線モジュール２０の電源制御ユニット２５が、電源供給線ＰＬを介してインターフェイスモジュール１０の電源１４に接続される例について説明した。しかしながら、電源制御ユニット２５は、電源１４に接続される代わりに、他の電源供給線（図示省略）を介して電源制御ユニット１５に接続されていても良い。このようにすることで、例えば電源制御ユニット２５の構成を簡略化することができ、或いは無線モジュール２０の各部に対する電力供給の安定化を図ることができる。
【００８５】
また、上記実施形態では、無線機器１が、工業プロセスにおける状態量として流体の流量を測定するものであるとして説明したが、本発明は、他の状態量（例えば、圧力、温度等）を測定する無線機器にも適用することができる。また、上記実施形態では、ＩＳＡ１００．１１ａに準拠した無線通信を行う無線機器を例に挙げて説明したが、本発明はＷｉｒｅｌｅｓｓＨＡＲＴ（登録商標）に準拠した無線通信を行う無線機器、Ｗｉ−Ｆｉ（登録商標）に準拠した無線通信を行う無線機器、或いはＺｉｇＢｅｅ（登録商標）に準拠した無線通信を行う無線機器にも適用することができる。
【符号の説明】
【００８６】
１            無線機器
１０          インターフェイスモジュール
１１          センサインターフェイス
１２          コントローラ
１３          ローカル通信部
１４          電源
１６          表示部
１７          設定部
２０          無線モジュール
２１          無線通信部
２２          コントローラ
２３          ローカル通信部
３０          フィールド機器
Ｃ１，Ｃ２    筐体
ＣＢ          ケーブル
ＰＬ          電源供給線
【図１】
2014229994.tif 000003
【図２】
2014229994.tif 000004
【図３】
2014229994.tif 000005
【図４】
2014229994.tif 000006
【図５】
2014229994.tif 000007
【図６】
2014229994.tif 000008
【図７】
2014229994.tif 000009